(57)【要約】【課題】プレフィルタの網の表面に耐久性に富み、さらに汚染除去性にも優れた特定の含フッ素ポリマーの被膜が形成されている空気調整機用のプレフィルタを提供する。【解決手段】合成樹脂製の網を有する空気調整機用のプレフィルタであって、該網の表面に含フッ素ポリマーを含む塗料組成物を網の表面に塗布し硬化させて得られる被膜を有しており、該塗料組成物が、官能基Ｘを含有する含フッ素ポリマー、防汚成分および硬化剤を含む組成物であって、防汚成分が官能基Ｘまたは硬化剤と反応し得る官能基を有する液状のポリジアルキルシロキサン、または官能基Ｘまたは硬化剤と反応し得る官能基を有する液状のフルオロポリエーテルである常温硬化性の塗料組成物であるプレフィルタ。【選択図】図１
2008012418.tif 000002
【特許請求の範囲】
【請求項１】
合成樹脂製の網を有する空気調整機用のプレフィルタであって、該網の表面の一部または全部に含フッ素ポリマーを含む塗料組成物を網の表面に塗布し硬化させて得られる被膜を有しており、該塗料組成物が、（Ａ）官能基Ｘを含有する含フッ素ポリマー、（Ｂ）防汚成分および（Ｃ）硬化剤を含む組成物であって、防汚成分（Ｂ）が（Ｂ１）官能基Ｘおよび／または硬化剤（Ｃ）と反応し得る官能基Ｙ1を有する液状のポリジアルキルシロキサン、または（Ｂ２）官能基Ｘおよび／または硬化剤（Ｃ）と反応し得る官能基Ｙ2を有する液状のフルオロポリエーテルである常温硬化性の塗料組成物であるプレフィルタ。
【請求項２】
前記含フッ素ポリマー（Ａ）が有する官能基Ｘが、水酸基、カルボキシル基および／またはエポキシ基である請求項１記載のプレフィルタ。
【請求項３】
前記ポリジアルキルシロキサン（Ｂ１）が有する官能基Ｙ1が、水酸基、アミノ基および／またはエポキシ基である請求項１または２記載のプレフィルタ。
【請求項４】
前記硬化剤（Ｃ）が、イソシアネート化合物、アミノ化合物および／またはエポキシ化合物である請求項１〜３のいずれかに記載のプレフィルタ。
【請求項５】
前記樹脂（Ａ）が有する官能基Ｘが水酸基であり、防汚成分（Ｂ）が有する官能基Ｙ1またはＹ2が水酸基またはアミノ基であり、硬化剤（Ｃ）がイソシアネート化合物である請求項１記載のプレフィルタ。
【請求項６】
前記常温硬化性の塗料組成物が、さらに抗菌剤を含む請求項１〜５のいずれかに記載のプレフィルタ。
【請求項７】
前記常温硬化性の塗料組成物が、さらに光触媒を含む請求項１〜６のいずれかに記載のプレフィルタ。
【請求項８】
前記網を構成する合成樹脂が、ポリプロピレン、ポリエチレン、ポリアミド、ポリ塩化ビニルまたはポリ塩化ビニリデンである請求項１〜７のいずれかに記載のプレフィルタ。
【請求項９】
空気調和機用のプレフィルタである請求項１〜８のいずれかに記載のプレフィルタ。
【請求項１０】
空気清浄機用のプレフィルタである請求項１〜８のいずれかに記載のプレフィルタ。
【発明の詳細な説明】
【技術分野】
【０００１】
本発明は、空気調和機や空気清浄機などの空気調整機に用いられているプレフィルタに関する。
【背景技術】
【０００２】
空気調和機や空気清浄機などの空気調整機の室内の空気の吸い込み箇所には、空気中の埃や汚れが空気調整機内に取り込まれないように網からなるプレフィルタが設けられている。このプレフィルタは通常、合成樹脂製の網と支持枠とから構成されている。
【０００３】
室内の埃や汚れは、綿埃、砂塵、泥、タバコの煙などの不溶性の埃のほか、タバコのヤニなどの水溶性の汚れ、油煙、煤などの油溶性の汚れなど、多岐に亘っており、プレフィルタに付着する付着物はこれらが複合した形となっている。こうした付着した汚れは光や空気中の酸素などにより変質し、どんどん除去しにくい汚れとなっていく。
【０００４】
また、プレフィルタは網目の大きさ（メッシュ）により、その孔を通過しないものを捕捉するものであるが、空気中には微細な汚れ（タバコの煙、煤、砂塵など）があり、それらも集塵するために、網を帯電させ、電気的に捕捉することも行われている。その１つの方法として、網を構成する繊維の外表面に帯電性に富むフッ素樹脂をコーティングすることが提案されており、水洗いも可能になったと記載されている（特許文献１、特許文献２）。
【０００５】
さらに特許文献３には、油分を含んだ塵埃の付着を防止するためにバインダーなどを用いてフッ素樹脂をコーティングすることが提案されている。
【０００６】
【特許文献１】特開平０８−２２４４１３号公報
【特許文献２】特開平０８−２２４４１４号公報
【特許文献３】特開２００６−１２２８７１号公報
【発明の開示】
【発明が解決しようとする課題】
【０００７】
しかし、かかる特許文献１、２には単にフッ素樹脂をコーティングするとしか記載されておらず、その具体的な解決策は示されていない。
【０００８】
たとえば、フッ素樹脂の被膜を形成するには通常は高温での焼成が必要であるが、フッ素樹脂よりも耐熱性に乏しい合成樹脂で作製されたプレフィルタにどのようにフッ素樹脂の被膜を形成させるのか、どのようなフッ素樹脂を用いるのかなど、実施するために必要な教示がない。
【０００９】
さらに、一般にフッ素樹脂は他の合成樹脂への密着性がわるく、単にフッ素樹脂を付着しただけでは、頻繁な着脱、ブラシでの擦り洗いや拭き取り作業で剥離してしまい、耐久性に問題がある。
【００１０】
また特許文献３においてもフッ素樹脂という単語しか記載されておらず、バインダーが別途必要なことから、フッ素樹脂粒子をプレフィルタの網の合成樹脂と接着性のよいバインダー中に分散させて被膜を形成することを想定しているものと考えられる。
【００１１】
しかし、こうしたフッ素樹脂粒子の分散被膜ではフッ素樹脂の効果を効率的に活かすことは難しく、また、フッ素樹脂はバインダーとの密着性もわるいので、フッ素樹脂粒子の脱落も生じ、耐久性に問題が残る。
【００１２】
本発明の課題は、従来のプレフィルタと同様な素材のプレフィルタであっても、その網の表面に耐久性に富み、さらに汚染除去性にも優れた特定の含フッ素ポリマーの被膜が形成されている空気調整機用のプレフィルタを提供することにある。
【課題を解決するための手段】
【００１３】
本発明は、合成樹脂製の網を有する空気調整機用のプレフィルタであって、該網の表面の一部または全部に含フッ素ポリマーを含む塗料組成物を網の表面に塗布し硬化させて得られる被膜を有しており、該含フッ素ポリマーを含む塗料組成物が、（Ａ）官能基Ｘを含有する含フッ素ポリマー、（Ｂ）防汚成分および（Ｃ）硬化剤を含む組成物であって、防汚成分（Ｂ）が（Ｂ１）官能基Ｘおよび／または硬化剤（Ｃ）と反応し得る官能基Ｙ1を有する液状のポリジアルキルシロキサン、または（Ｂ２）官能基Ｘおよび／または硬化剤（Ｃ）と反応し得る官能基Ｙ2を有する液状のフルオロポリエーテルである常温硬化性の塗料組成物であるプレフィルタに関する。
【発明の効果】
【００１４】
本発明の空気調整機用のプレフィルタによれば、合成樹脂に対して密着性に優れた含フッ素ポリマーを含む塗料組成物により網の表面に被膜を形成でき、プレフィルタ表面を擦ったり、プレフィルタを折り曲げたりしても脱落することがなく、取り外し作業や水洗いなどに対して耐久性に富むプレフィルタを提供することができる。
【発明を実施するための最良の形態】
【００１５】
本発明の合成樹脂製の網を有する空気調整機用のプレフィルタは、該網の表面の一部または全部に特定の含フッ素ポリマーを含む塗料組成物を網の表面に塗布し硬化させて得られる被膜を有している点に特徴を有する。
【００１６】
この含フッ素ポリマーを含む塗料組成物は、（Ａ）官能基Ｘを含有する含フッ素ポリマー、（Ｂ）防汚成分および（Ｃ）硬化剤を含む組成物であって、防汚成分（Ｂ）が（Ｂ１）官能基Ｘおよび／または硬化剤（Ｃ）と反応し得る官能基Ｙ1を有する液状のポリジアルキルシロキサン、または（Ｂ２）官能基Ｘおよび／または硬化剤（Ｃ）と反応し得る官能基Ｙ2を有する液状のフルオロポリエーテルである常温硬化性の塗料組成物である。
【００１７】
この塗料組成物では、含フッ素ポリマー（Ａ）および防汚成分（Ｂ）のいずれもが撥水撥油性であり、形成される被膜も撥水撥油性になる。
【００１８】
プレフィルタの表面を撥水撥油性にすることにより水溶性汚れと油性汚れの両方を埃側に付着させ、比較的大きな埃を除去することで、埃だけではなく水溶性汚れと油性汚れまでも除去できる。その理由は明確ではないが、一般に、埃の主成分は各種の繊維からなる綿埃と、珪酸、酸化鉄、酸化アルミ二ウムなどを主成分とする砂塵であり、撥水性および撥油性の点からはいずれも中間的な性状である。そのときプレフィルタの表面を撥水性と撥油性のいずれにおいても高い（水も油もはじく）状態にすると、その撥水性が故に水溶性汚れはプレフィルタ表面よりも埃側に親和し、埃に付着する。同じく、油性汚れはプレフィルタ表面の撥油性が故にプレフィルタ表面よりも埃側に親和し、埃に付着する。
【００１９】
本発明において、被膜の撥水撥油性とは、被膜表面の対水接触角および対油接触角のいずれもが高い性質をいう。具体的には、８０度以上の対水接触角と３５度以上の対油接触角を有する被膜であることが、水溶性の汚れおよび油溶性の汚れのいずれもが被膜と親和性が悪く（被膜に付着することがなく）、したがって綿埃や砂塵などの方に吸収される点から好ましい。対水接触角および対油接触角の測定方法については後述する。
【００２０】
さらに好ましい対水接触角は、水性汚れ付着防止性がさらに優れることから９０度以上、特に１００度以上である。
【００２１】
さらに好ましい対油接触角は、油汚れ付着防止性がさらに優れることから４５度以上である。
【００２２】
また、本発明における被膜では、防汚成分（Ｂ）が官能基の働き（反応）により、硬化剤（Ｃ）を介して含フッ素ポリマー（Ａ）と強固に結合される。したがって、防汚成分（Ｂ）が被膜から脱落することもなく、耐久性に富むものになる。
【００２３】
かかる含フッ素ポリマーを含む塗料組成物としては、たとえば国際公開第２００４／０６７６５８号パンフレットに記載されている塗料組成物が具体例、好ましい範囲とともに例示できる。
【００２４】
そのなかでも、室内の空気の調整用である空気調整機用などの樹脂製品のプレフィルタには、塗料組成物の含フッ素ポリマー（Ａ）が有する官能基Ｘとして、水酸基、カルボキシル基および／またはエポキシ基が、硬化性、プレフィルタの網への密着性が良好な点で好ましい。
【００２５】
また、防汚成分（Ｂ）としては、ポリジアルキルシロキサン（Ｂ１）が撥水性が良好な点から好ましく、ポリジアルキルシロキサン（Ｂ１）が有する官能基Ｙ1としては、水酸基、アミノ基および／またはエポキシ基が、硬化性、プレフィルタの網への密着性が良好な点から好ましい。
【００２６】
硬化剤（Ｃ）としては、イソシアネート化合物、アミノ化合物および／またはエポキシ化合物が、硬化性、プレフィルタの網への密着性が良好な点から好ましい。
【００２７】
これらのうち特に、含フッ素ポリマー（Ａ）が有する官能基Ｘが水酸基であり、防汚成分（Ｂ）が有する官能基Ｙ1またはＹ2が水酸基またはアミノ基であり、硬化剤（Ｃ）がイソシアネート化合物である塗料組成物が、特に硬化性、プレフィルタの網への密着性に優れる点から好ましい。
【００２８】
具体的な好ましい含フッ素ポリマー（Ａ）としては、たとえばテトラフルオロエチレン（ＴＦＥ）／アルキルビニルエーテル／ヒドロキシブチルビニルエーテル（ＨＢＶＥ）系共重合体、ＴＦＥ／アルキルビニルエステル／ＨＢＶＥ系共重合体、クロロトリフルオロエチレン（ＣＴＦＥ）／アルキルビニルエーテル／ＨＢＶＥ系共重合体、ＴＦＥ／アルキルビニルエーテル／マレイン酸系共重合体、ＣＴＦＥ／アルキルビニルエーテル／マレイン酸系共重合体などの共重合体があげられるが、これらに限定されるものではない。これらのうち特にＴＦＥ／アルキルビニルエーテル／ＨＢＶＥ系共重合体、ＴＦＥ／アルキルビニルエステル／ＨＢＶＥ系共重合体が、さらに防汚性、耐油性、硬化剤相溶性が良好な点から好ましい。
【００２９】
防汚成分（Ｂ）のうち、ポリジアルキルシロキサン（Ｂ１）の好ましい具体例としては、たとえばアミノ変性ポリジアルキルシロキサン、カルビノール変性ポリジアルキルシロキサン、カルボキシル変性ポリジアルキルシロキサン、エポキシ変性ポリジアルキルシロキサンなどがあげられ、特にアミノ変性ポリジアルキルシロキサンが、さらに硬化性が良好な点から好ましい。
【００３０】
防汚成分（Ｂ）のうち官能基Ｘおよび／または硬化剤（Ｃ）と反応し得る官能基Ｙ2を有する液状のフルオロポリエーテル（Ｂ２）の具体例としては、たとえば水酸基、アミノ基、エポキシ基、カルボキシル基、チオール基、ニトリル基、ヨウ素原子および／または加水分解性アルキルシリケート残基をもったフルオロポリエーテルなどがあげられる。
【００３１】
前記のとおり、防汚成分（Ｂ）としては、ポリジアルキルシロキサン（Ｂ１）が好ましい。
【００３２】
防汚成分（Ｂ）の配合量は、含フッ素ポリマー（Ａ）の固形分１００質量部に対して、０．００１質量部以上、さらには０．０１質量部以上、特に０．１質量部以上が好ましい。少なくなりすぎると汚染の付着防止効果や除去性が不充分になる。上限は３０質量部、さらには１０質量部、特に３質量部であり、多くなりすぎると塗膜の均一形成が困難になったり、粘着性がでてきたりする点に配慮する必要が生じてくる。
【００３３】
硬化剤（Ｃ）の具体例としては、たとえばイソシアネート化合物、アミノ化合物およびエポキシ化合物があげられ、含フッ素ポリマー（Ａ）および防汚成分（Ｂ）が有する官能基Ｘ、Ｙ1およびＹ2との関係で適宜選択する。
【００３４】
イソシアネート化合物系硬化剤は、含フッ素ポリマー（Ａ）および防汚成分（Ｂ）が有する官能基Ｘ、Ｙ1およびＹ2が水酸基および／またはアミノ基である場合に効果的である。イソシアネート化合物にはブロックイソシアネート化合物も含まれ、具体例としては、たとえば２，４−トリレンジイソシアネート、ジフェニルメタン−４，４´−ジイソシアネート、キシリレンジイソシアネート、イソホロンジイソシアネート、リジンメチルエステルジイソシアネート、メチルシクロヘキシルジイソシアネート、トリメチルヘキサメチレンジイソシアネート、ヘキサメチレンジイソシアネート、ｎ−ペンタン−１，４−ジイソシアネート、これらの三量体、これらのアダクト体やビュウレット体、これらの重合体で２個以上のイソシアネート基を有するもの、また、リジントリイソシアネート（具体的には２−イソシアナートエチル２，６−ジイソシアナートヘキサノエートなど）、さらにはブロック化されたイソシアネート類などがあげられるが、これらに限定されるものではない。
【００３５】
また、加水分解性アルキルシリケート残基を有するイソシアネート化合物も好ましく使用できる。具体例としては、たとえばＯＣＮＣ3Ｈ6Ｓｉ（ＯＣＨ3）3、ＯＣＮＣ3Ｈ6Ｓｉ（ＯＣ2Ｈ5）3、ＯＣＮＣ3Ｈ6Ｓｉ（ＯＣＯＣＨ3）3、ＯＣＮＣ3Ｈ6Ｓｉ（ＣＨ3）（ＯＣＨ3）3などがあげられる。
【００３６】
イソシアネート化合物と含フッ素ポリマー（Ａ）との混合割合はＮＣＯ／ＯＨ（モル比）で０．５〜５．０が好ましく、さらに０．８〜１．５がより好ましい。また、イソシアネートが湿気硬化タイプの場合は１．１〜１．５が好ましい。
【００３７】
アミノ化合物系硬化剤は、含フッ素ポリマー（Ａ）および防汚成分（Ｂ）が有する官能基Ｘ、Ｙ1およびＹ2がカルボキシル基、アミノ基またはエポキシ基である場合に効果的である。好ましい具体例としては、たとえばメラミン樹脂、尿素樹脂、グアナミン樹脂、アミンアダクト、ポリアミドなどがあげられる。
【００３８】
市販品としては、三井サイテック（株）製のサイメル（商品名）；エアプロダクツ社製のアンカミン（商品名）、エピリンク（商品名）；ヘンケル社製のバーサミン（商品名）、バーサミド（商品名）；富士化成工業（株）製のトーマイド（商品名）、フジキュアー（商品名）；第一ゼネラル（株）製のバーサミド（商品名）；ジャパンエポキシレジン（株）製のエピキュアー（商品名）；三和化学（株）製のサンマイド（商品名）；味の素（株）製のエポメート（商品名）などがあげられる。
【００３９】
エポキシ化合物系硬化剤は、含フッ素ポリマー（Ａ）および防汚成分（Ｂ）が有する官能基Ｘ、Ｙ1およびＹ2がカルボキシル基、アミノ基またはエポキシ基である場合に効果的である。たとえばエポキシ樹脂、エポキシ変性シランカップリング剤などがあげられ、市販品としてはジャパンエポキシレジン（株）製のエピコート（商品名）、エピレック（商品名）；カードライト社製のカードライト（商品名）；日本ユニカー（株）製のコートジル１７７０（商品名）、Ａ−１８７（商品名）などがあげられる。
【００４０】
硬化剤（Ｃ）の配合量は、含フッ素ポリマー（Ａ）と防汚成分（Ｂ）の官能基Ｘ、Ｙ1およびＹ2の合計当量を１とした場合、０．３当量以上、さらには０．５当量以上、特に０．８当量以上が好ましい。少なくなりすぎると硬化が不充分になる。上限は４当量、さらには２当量、特に１．５当量であり、多くなりすぎると硬化の均一形成や粘着性の増大などの点に配慮する必要が生じてくる。
【００４１】
本発明で用いる塗料組成物は、常温で硬化し得る（常温硬化性）であることが特に好ましい。常温硬化性とすることで、プレフィルタの網の合成樹脂を劣化させることなく防汚被膜を形成することができる。なお、プレフィルタの網の材料である合成樹脂の耐熱温度までであれば、加熱して硬化させてもよい。
【００４２】
本発明に用いる塗料組成物には、各種の他の添加剤を配合してもよい。代表的な添加剤としては、抗菌剤、光触媒、帯電防止剤、顔料、顔料分散剤、増粘剤、レベリング剤、消泡剤、造膜助剤、紫外線吸収剤、艶消し剤、フィラー、コロイダルシリカ、防カビ剤、シランカップリング剤、皮張り防止剤、酸化防止剤、難燃剤、垂れ防止剤、防錆剤、水溶性樹脂（ポリビニルアルコール、ポリエチレンオキサイドなど）、防腐剤、凍結防止剤などの塗料用添加剤などがあげられ、本発明の効果を損なわない範囲で配合してもよい。
【００４３】
塗料組成物の形態としては、水性分散型塗料組成物でも、溶剤型塗料組成物でもよいが、乾燥性が良好な点から溶剤型塗料組成物が好ましい。
【００４４】
溶剤型塗料組成物とする場合、有機溶剤としては、たとえばキシレン、トルエンなどの炭化水素系溶剤；酢酸メチル、酢酸エチル、酢酸ブチルなどのエステル系溶剤；酢酸エチレングリコールモノメチルエーテル、酢酸プロピレングリコールモノメチルエーテル、酢酸プロピレングリコールモノブチルエーテル、ジエチレングリコールジブチルエーテル、テトラヒドロフランなどのエーテル系溶剤；メチルエチルケトン、メチルイソブチルケトン、アセトンなどのケトン系溶剤；Ｎ，Ｎ−ジメチルアセトアミド、Ｎ−メチルアセトアミド、アセトアミド、Ｎ，Ｎ−ジメチルホルムアミド、Ｎ，Ｎ−ジエチルホルムアミド、Ｎ−メチルホルムアミドなどのアミド系溶剤；メタノール、エタノール、イソプロパノールなどのアルコール系溶剤；ジメチルスルホキシドなどが例示できる。これらのうち、特に酢酸ブチル、酢酸プロピレングリコールモノメチルエーテル、酢酸プロピレングリコールモノブチルエーテル、メチルエチルケトンが、溶解性、乾燥性が良好な点から好ましい。
【００４５】
塗料組成物の固形分濃度としては、通常１質量％以上、好ましくは１０質量％以上であり、また８０質量％以下、さらには５０質量％以下であることが好ましい。
【００４６】
プレフィルタの網を構成する合成樹脂としては、現在使用されているポリプロピレン、ポリエチレン、ポリアミド、ポリ塩化ビニル、ポリエステル（たとえばポリエチレンテレフタレート（ＰＥＴ）など）、ポリ塩化ビニリデンなどでよい。
【００４７】
以下に特に好ましい塗料組成物における含フッ素ポリマー（Ａ）、防汚成分（Ｂ）および硬化剤（Ｃ）、任意成分（Ｄ）の組合せの具体例を示すが、本発明はこれらに限定されるものではない。
【００４８】
塗料組成物１
含フッ素ポリマー（Ａ）：水酸基含有フルオロオレフィン樹脂
防汚成分（Ｂ）：アミノ基含有ポリジアルキルシロキサン
硬化剤（Ｃ）：加水分解性アルキルシリケート残基含有イソシアネート（さらに要すればポリイソシアネート）
添加剤（Ｄ）：ジブチル錫ジラウレート（ＤＢＴＤＬ）（任意）
塗料形態：溶剤型（溶剤：酢酸ブチル、メチルエチルケトン、メチルイソブチルケトン、酢酸プロピレングリコールモノブチルエーテルなど）
プレフィルタの網の材質：ポリエステル（特にＰＥＴ）
【００４９】
塗料組成物２
含フッ素ポリマー（Ａ）：フルオロオレフィン樹脂と水酸基含有非フッ素系樹脂とのブレンド
防汚成分（Ｂ）：アミノ基含有ポリジアルキルシロキサン
硬化剤（Ｃ）：ポリイソシアネート
添加剤（Ｄ）：ジブチル錫ジラウレート（ＤＢＴＤＬ）（任意）
塗料形態：溶剤型（溶剤：酢酸ブチル、メチルエチルケトン、メチルイソブチルケトン、酢酸プロピレングリコールモノブチルエーテルなど）
プレフィルタの網の材質：ポリエステル（特にＰＥＴ）
【００５０】
塗料組成物３
含フッ素ポリマー（Ａ）：水酸基含有フルオロオレフィン樹脂
防汚成分（Ｂ）：アミノ基含有ポリジアルキルシロキサン
硬化剤（Ｃ）：アミノ化合物
添加剤（Ｄ）：パラトルエンスルホン酸
塗料形態：溶剤型（溶剤：酢酸ブチル、メチルエチルケトン、メチルイソブチルケトン、酢酸プロピレングリコールモノブチルエーテルなど）
プレフィルタの網の材質：ポリエステル（特にＰＥＴ）
【００５１】
塗料組成物４
樹脂（Ａ）：カルボキシル基含有フルオロオレフィン樹脂
防汚成分（Ｂ）：アミノ基含有ポリジアルキルシロキサン
硬化剤（Ｃ）：アミノ化合物
添加剤（Ｄ）：ジブチル錫ジラウレート（ＤＢＴＤＬ）（任意）
塗料形態：溶剤型（溶剤：酢酸ブチル、メチルエチルケトン、メチルイソブチルケトン、酢酸プロピレングリコールモノブチルエーテルなど）
プレフィルタの網の材質：ポリアミド
【００５２】
本発明のプレフィルタは空気調整機用のプレフィルタである。空気調整機としては、家庭用か業務用かを問わず、空気調和機、空気清浄機、除湿機、加湿器、換気扇などがあげられ、それぞれの製造会社や機種により、形状や大きさなどは異なるが、基本的に、図１に概略斜視図として示すように、支持枠１と網２とからなり、網２は一体となった合成樹脂の繊維３で構成されている。もちろん、繊維３の織布でもよいが、縦糸や横糸がずれることもあり、繊維同士は熱または接着剤により接着されている。
【００５３】
また、プレフィルタの形状は、集塵のしやすさ、圧損の軽減、掃除のしやすさ、掃除の頻度などを考慮して、各種のものが採用できる。たとえば、網の織り方としては、立体織りが、比較的目が細かく（細かい埃まで取りやすく）、埃を捕集しても圧損が上がり難い（掃除の頻度が少なくて済む）点からよく使われているが、近年は、凹凸が少なく掃除がしやすい平織りのタイプも使われるようになってきている。
【００５４】
網の目開き（メッシュ）は、適用する空気調整機の種類、機種、用途、形態などにより異なるが、家庭用の空気調和機では通常２５〜８０メッシュ（約２５０μｍ〜約１ｍｍ）である。
【００５５】
本発明で使用するプレフィルタは、平織りでも立体織りでも、亀甲織りでもスパイラル織りでも、またプリーツ有りでも無しでもよく、公知のプレフィルタに合わせたものを提供することができる。
【００５６】
プレフィルタの網への塗布方法としては、スプレー塗装、ディッピング塗装、ロール塗装などが使用でき、プレフィルタの形状、大きさ、材質などによって適切な方法を採用すればよい。また、プライマー塗料を予め塗装してもよい。
【００５７】
塗装後、乾燥し、硬化剤による硬化を促せる。硬化は加熱してもよいが、上記のとおり、常温で放置することが網の劣化を防ぐ観点から好ましい。
【００５８】
形成する被膜の膜厚は、通常０．１μｍ以上、さらには１μｍ以上、特に２μｍ以上であることが、フィルタの清掃性（粘着汚れがフィルタにこびり付き難く、埃や砂塵に吸収され易い）が良好なことから好ましく、５０μｍ以下、さらには３０μｍ以下、特に１０μｍ以下であることが、塗装時におけるフィルタの目詰まりを防ぐ上で、また、圧力損失の増加を抑制するのに加え、塗装にかかる塗料費用（必要以上に塗料を使わない）や塗装費用（必要以上に塗装したり、乾燥時間を要したりしない）を抑えることや、塗料の剥がれを防止することから好ましい。
【００５９】
被膜は網の表面全部（連続被膜）でも、一部（不連続被膜）でもよい。プレフィルタが可撓性でその取扱い時に変形することを考慮すると、一部（不連続被膜）にすることが、被膜のひび割れなどが生じず、好ましい。不連続被膜を形成するには、たとえば塗料組成物の溶剤として網の合成樹脂に対して親和性の低いものを使用する方法、塗装方法を工夫する（スプレー、グラビア塗装等）方法などがある。
【００６０】
また、拭き取り性を向上させるために、被覆された網の表面に滑水性を付与することが望ましい。良好な滑水性とは、転落角測定法で測定した水滴の転落角が５０度以下で、ヘキサデカンの油滴の転落角が１０度以下であることをいう。滑水性を高めるためには、たとえば被覆された網の表面に適正な凹凸を形成する方法などが例示できる。
【００６１】
転落角の測定は、基材に塗膜を形成し、接触角測定装置で水およびヘキサデカンの転落角を測定することにより行う。
【００６２】
塗装方法によって、網の目に塗料組成物が残り、網目を潰してしまうことがある。こうした目詰まりが多くなりすぎるとフィルタ機能が損なわれ、また圧損が大きくなる。目詰まりの程度は、全体の網目の数の１／３以下、さらには１／１０以下にすることが、良好な集塵と圧損の抑制、さらにはフィルタ外観が損なわれ難い点から好ましい。
【００６３】
かくしてプレフィルタの網の表面に形成された特定のフッ素樹脂被膜は、タバコのヤニなどの水溶性の汚れだけではなく、油煙、煤などの油溶性の汚れなどの除去性に優れているので、簡単な水洗いやふき取りで容易に油性水性を問わず除去でき、しかも網への密着性にも優れているので、可撓性に優れ、さらにブラシなどの使用にも耐え得る耐久性を有している。
【００６４】
なお、以上にプレフィルタの網の材質として、これまでフッ素樹脂での表面処理が困難であった合成樹脂について説明してきたが、本発明で用いる塗料組成物は、もちろん金属、ガラス繊維やセラミック繊維などの耐熱性のプレフィルタに対しても適用できる。
【００６５】
プレフィルタの網を構成する金属やセラミックスとしては、ステンレス（SUS304,SUS316,SUS316L,SUS430,SUS310Sほか）、ニッケル、モネル、黄銅、丹銅、燐青銅、銅、鉄、亜鉛引鉄線、鋼、アルミニウム、チタン、ニクロム、ハステロイ、インコネルなどの金属繊維、酸化アルミニウム、酸化ジルコニウム、マイカ、窒化珪素、ガラス、ＰＺＴ、黒鉛、炭素繊維などのセラミックスが例示できる。
【実施例】
【００６６】
つぎに実施例をあげて本発明を具体的に説明するが、本発明はこれらの実施例のみに限定されるものではない。
【００６７】
実施例１
含フッ素ポリマー（Ａ）としてゼッフルＧＫ−５１０（水酸基含有テトラフルオロエチレン共重合体。水酸基価６０ｍｇＫＯＨ／ｇ、酸価９ｍｇＫＯＨ／ｇ、数平均分子量１２０００、フッ素含有率３６質量％、樹脂の屈折率１．４、酢酸ブチル溶液、固形分５０質量％）を１００質量部、防汚成分（Ｂ）としてアミノ基含有シリコーンオイル（ＮＵＣ ＳＩＬＩＣＯＮＥ ＦＺ３７０５（商品名）。日本ユニカー（株）製のアミノ変性シリコーンオイル。粘度２３０ｍｍ2／ｓ、アミノ当量４０００）を１質量部、硬化剤（Ｃ）としてコロネートＨＸ（商品名）（日本ポリウレタン（株）製のイソシアネート系硬化剤）を１２質量部、および硬化促進剤としてジブチル錫ジラウレート（ＤＢＴＤＬ）の１％酢酸ブチル溶液を２質量部配合し、希釈剤として酢酸ブチル１６５質量部、プロピレングリコールモノブチルエーテルアセテート３０質量部を配合し、固形分濃度２０質量％の塗料組成物を調製した。
【００６８】
この塗料組成物を常法により、つぎのプレフィルタにスプレー塗装し、圧縮空気をフィルタにあて、目詰まりをなくした後、１００℃で１０分間焼き付けし、乾燥・硬化させて膜の表面にフッ素樹脂被膜を形成させ、本発明のプレフィルタ１を作製した。
【００６９】
（プレフィルタの仕様）
支持枠：ポリプロピレン製
網：ＰＥＴ製
網の目開き（メッシュ）：縦５０メッシュ、横３５メッシュ
網の繊維径：７５デニール
寸法：縦３５５ｍｍ、横４００ｍｍ
【００７０】
得られたプレフィルタ１の目詰まりは顕微鏡観察によれば、全体の１％であった。
【００７１】
つぎにプレフィルタ１および被膜を形成する前のプレフィルタ（比較用プレフィルタ）の基材（ＰＥＴ）について、それぞれの対水接触角および対油接触角を調べた。プレフィルタ自身の接触角は測定できないので、上記と同様にしてフッ素樹脂被膜を形成したＰＥＴシートと、被膜形成前のＰＥＴシートの接触角を測定した。その結果、フッ素樹脂被膜を形成したＰＥＴシート（プレフィルタ１に相当）の対水接触角は１０３度であり、対油接触角は５０度であった。被膜形成前のＰＥＴシート（比較用プレフィルタに相当）の対水接触角は８０度であり、対油接触角は１５度であった。
【００７２】
（対水接触角）
接触角計（協和界面科学（株）製）を用いて純水の２μｌの液量での接触角を測定する。液を載せてから１秒後に測定する。
【００７３】
（対油接触角）
接触角計（協和界面科学（株）製）を用いて流動パラフィン粘度７０ｃStの２μｌの液量での接触角を測定する。液を安定させるため、液を載せてから１０秒後に測定する。
【００７４】
また、プレフィルタ１について、折り曲げ耐久試験を行った結果、１０回の折り曲げ後でも、脱落した被膜はほとんどなかった。
【００７５】
（折り曲げ耐久試験方法）
プレフィルタを１８０度折り曲げた後に反対方向に１８０度折り曲げる操作を１サイクルとし、１０サイクル繰り返す。その後、折り曲げ部を目視観察しハガレの有無を目視で観察する。
【００７６】
つぎにプレフィルタ１および被膜を形成する前のプレフィルタ（比較用プレフィルタ）をそれぞれ床面積約１５ｍ2の喫煙室の壁上部に設置された空気調和機に取り付け、１ヵ月運転した後、取り外して洗浄試験に供した。
【００７７】
（洗浄試験方法）
台所のシンクに水をはり、その中（水中）で、ガーゼを使用して、２往復拭取りを行う。評価は、拭取り前後の汚れ状態を目視で行う。
【００７８】
その結果、本発明のプレフィルタ１では取り付け時と同様の程度にまで、煙草のヤニ汚れが落ち、ほとんど汚れが分からなくなったが、比較用のプレフィルタでは煙草のヤニ汚れはほとんど落ちなかった。
【図面の簡単な説明】
【００７９】
【図１】本発明の空気調整機用のプレフィルタの概略斜視図である。
【符号の説明】
【００８０】
１  支持枠
２  網
３  網の繊維
【図１】
2008012418.tif 000003